(57)【要約】      （修正有）【課題】上衣のウエスト部分を必要時にアジャストさせて、スッキリさせるよう構成した上衣を提供する。【解決手段】ジャンパー、事務服、作業服等の上衣において、上衣の左右の前身頃２ｂのそれぞれ下端に、脇部側がそれぞれ開口した細長の袋体３ｂを設け、これら、袋体内には、一端に帯状の伸縮材４ｂを設けた係止ベルト５ｂを移動可能に設け、伸縮材の他端は、それぞれ細長の袋体内であって、適宜な位置にそれぞれ前身頃の下端に縫着し、係止ベルトの他端部は、細長の袋体の開口端部より突出する長さに設け、係止ベルトの先端部付近には、それぞれボタン６ｂを設け、これらのボタンと係止する１または複数のボタンは、後身頃の下端側にそれぞれ列設する。【選択図】図３
0003219506.tif 000002
【実用新案登録請求の範囲】
【請求項１】
ジャンパー、事務服、作業服等の上衣（１）において、
該上衣の左右の前身頃（２ａ）、（２ｂ）のそれぞれ下端に、脇部側がそれぞれ開口した細長の袋体（３ａ）、（３ｂ）を設け、
これら、袋体（３ａ）、（３ｂ）内には、一端に帯状の伸縮材（４ａ），（４ｂ）を設けた係止ベルト（５ａ），（５ｂ）を移動可能に設け、
前記伸縮材（４ａ）（４ｂ）の他端は、それぞれ細長の袋体（３ａ）（３ｂ）内であって、適宜な位置にそれぞれ左右の前身頃（２ａ）、（２ｂ）の下端に縫着し、
前記係止ベルト（５ａ）、（５ｂ）の他端部は、前記細長の袋体（３ａ）、（３ｂ）の開口端部より突出する長さに設け、
前記係止ベルト（５ａ）、（５ｂ）の先端部付近には、それぞれボタン（６ａ）、（６ｂ）を設け、
これらのボタン（６ａ）、（６ｂ）と係止する１または複数のボタン（８ａ）、（８ｂ）は、後身頃（７）の下端部にそれぞれ列設した
ことを特徴とする上衣。
【請求項２】
前記後身頃（７）の下端に、前記細長の袋体（３ａ）（３ｂ）の高さ寸法（α）と同一の高さの帯体（９）を設けた
ことを特徴とする請求項１記載の上衣。
【請求項３】
前記袋体（３ａ）（３ｂ）と前記帯体（９）との当接部には、スリットを設けた
ことを特徴とする請求項１または２記載の上衣。
【考案の詳細な説明】
【技術分野】
【０００１】
この考案は、上衣に関するものであり、特に、必要時にウエスト部分をスッキリ整えることのできる上衣に関するものである。
【背景技術】
【０００２】
従来、ジャンパー、事務服、作業服等の上衣は、年々、その部位が改良され、スマートで作業に差し障りのない動き易い上衣が開発され販売されている。
【０００３】
例えば、腕の動きを阻害しないよう構成した作業用ユニフォームが、存在している。例えば、特許文献１のように。
【０００４】
また、デザイン性を損なうことなく、腕の動きへの追従性に優れた袖付けをした作業用ユニフォームの上衣が存在している。例えば、特許文献２のように。
【先行技術文献】
【特許文献】
【０００５】
【特許文献１】特開２００６−２３０６号公報
【特許文献２】特開２００７−１６２１６２号公報
【考案の概要】
【考案が解決しようとする課題】
【０００６】
そこでこの考案は、上衣のウエスト部分を必要時にアジャストさせて、スッキリさせるよう構成した上衣を開発・提供する事にある。
【課題を解決するための手段】
【０００７】
この考案の上衣は、ジャンパー、事務服、作業服等の上衣において、該上衣の左右の前身頃のそれぞれ下端に、脇部側がそれぞれ開口した細長の袋体を設け、これら、袋体内には、一端に帯状の伸縮材を設けた係止ベルトを移動可能に設け、前記伸縮材の他端は、それぞれ細長の袋体内であって、適宜な位置にそれぞれ前身頃の下端に縫着し、前記係止ベルトの他端部は、前記細長の袋体の開口端部より突出する長さに設け、前記係止ベルトの先端部付近には、それぞれボタンを設け、これらのボタンと係止する，１または複数のボタンは、後身頃の下端側に設けたことを特徴とする。
【０００８】
そして、前記後身頃の下端に、前記細長の袋体の高さ寸法と同一の高さの帯体を設けたことを特徴とする。
【０００９】
さらに、前記袋体と前記帯体との当接部には、スリット部を設けたことを特徴とする。
【考案の効果】
【００１０】
この考案によると、左右のそれぞれ係止ベルト（５ａ）、（５ｂ）は、平生時には、袋体（３ａ）、（３ｂ）の開口よりそれぞれ少し露出しているが、必要時は伸縮材（４ａ）、（４ｂ）に抗して引き出すことができ、後身頃（７）に設けたボタン（８ａ）、（８ｂ）目的とする位置のボタンに係止することができ、ウエスト部分をスッキリさせることができ、ボタンから外せば、前記係止ベルトは、前記袋体内の位置にそれぞれ戻る等の効果を奏する。
【００１１】
また、後身頃（７）の下端に設けた帯体（９）の縦幅寸法を、左右の前身頃（２ａ）、（２ｂ）の下端にそれぞれ設けた袋体（３ａ）、（３ｂ）の縦幅寸法とを、同一の高さ寸法（α）に形成したことにより、上衣（１）のウエスト周りをスッキリと見える等の効果を奏する。
【図面の簡単な説明】
【００１２】
【図１】この考案の一実施例を示す上衣の正面図である。
【図２】この考案の一実施例を示す上衣の背面図である。
【図３】この考案の一実施例を示す上衣の一部を切り欠いた拡大正面図である。
【図４】この考案の一実施例を示す上衣の一部を切り欠いた拡大側面図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図１〜図３に基づいて詳述すると、ジャンパー、事務服、作業服等の上衣（１）において、該上衣の左右の前身頃（２ａ）、（２ｂ）のそれぞれ下端に、脇部側がそれぞれ開口した細長の袋体（３ａ）、（３ｂ）を設け、これら、袋体（３ａ）、（３ｂ）内には、一端に帯状の伸縮材（４ａ），（４ｂ）を設けた係止ベルト（５ａ），（５ｂ）を移動可能に設け、前記伸縮材（４ａ）（４ｂ）の他端は、それぞれ細長の袋体（３ａ）（３ｂ）内であって、適宜な位置にそれぞれ左右の前身頃（２ａ）、（２ｂ）の下端に縫着し、前記係止ベルト（５ａ）、（５ｂ）の他端部は、前記細長の袋体（３ａ）、（３ｂ）の開口端部より突出する長さに設け、前記係止ベルト（５ａ）、（５ｂ）の先端部付近には、それぞれボタン（６ａ）、（６ｂ）を設け、これらのボタン（６ａ）、（６ｂ）と係止する，１または複数のボタン（８ａ）（８ｂ）は、後身頃（７）の下端側に設けたことを特徴とする上衣から構成されるものである。
【００１５】
なお、前記伸縮材（４ａ）、（４ｂ）の一実施例は、帯状のゴムであり、該ゴムの一端はそれぞれ左右の前身頃（２ａ）、（２ｂ）側の袋体（３ａ）、（３ｂ）の内部に縫着し、他端は、係止ベルト（５ａ）、（５ｂ）のそれぞれ末端部に縫着するものである。また、前記伸縮材（４ａ）、（４ｂ）は、弾力性を有する素材であれば特に限定はしない。
【００１６】
また、前記後身頃（７）の下端に、前記細長の袋体（３ａ）、（３ｂ）の縦幅の高さ寸法（α）と同一の高さ寸法を有する帯体（９）に形成したものであり、袋体（３ａ）、（３ｂ）と帯体（９）との縦幅が揃い美的にも優れている。
【００１７】
さらに、図４に示すように、前記袋体（３ｂ）と前記帯体（９）との各当接部には、前身頃のスリット縁部（１０ａ）と、後身頃のスリット縁部（１０ｂ）間にはスリットを設け、両スリット縁部間（１０ａ）、（１０ｂ）には、スリット覆い部材（１１）を設けている。
【００１８】
また、後身頃（７）側にボタン（８ａ）、（８ｂ）を複数列設し、係止ベルト（５ａ）、（５ｂ）側のボタン（６ａ）、（６ｂ）を適宜な位置のボタン（８ａ）、（８ｂ）を選択して止めることにより、ジャストフィットできるよう止めることが出来る。
【００１９】
なお、両スリット縁部（１０ａ）、（１０ｂ）間には、スリット覆い部材（１１）を設けることにより、係止ベルト（５ａ）、（５ｂ）を使用しない場合でも、上衣の内部に着用しているシャツや、場合によっては下着等が外部から見えないという効果を有する。
【産業上の利用可能性】
【００２０】
この考案の上衣の技術を確立し、実施することにより産業上の利用可能性を有する。
【符号の説明】
【００２１】
１  上衣
２ａ  右前身頃
２ｂ  左前身頃
３ａ，３ｂ  袋体
４ａ，４ｂ  伸縮材
５ａ，５ｂ  係止ベルト
６ａ，６ｂ  ボタン
７  後身頃
８ａ，８ｂ  ボタン
９  帯体
１０ａ  前身頃のスリット縁部
１０ｂ  後身頃のスリット縁部
１１  スリット覆い部材
α  高さ寸法
【図１】
0003219506.tif 000003
【図２】
0003219506.tif 000004
【図３】
0003219506.tif 000005
【図４】
0003219506.tif 000006